【事件の表示】
　特許第２９５１６７２号「インターライン型固体撮像装置」の特許に対する特許異議の申立てについて、次のとおり決定する。
【結　論】
　訂正を認める。
　特許第２９５１６７２号の特許を維持する。
【理　由】
　　１．手続の経緯
　　特許第２９５１６７２号の請求項１に係る発明についての出願は、平成１年１１月１７日に特許出願され、平成１１年７月９日にその発明について特許の設定がされ、その後、その特許について、異議申立人　奥田　孝導　により特許異議の申立がされ、取消理由が通知され、その指定期間内である平成１２年８月１日に訂正請求がされたものである。
　　
　　
　　
　　２．訂正の適否についての判断
　（１）訂正の内容
　ア．訂正事項ａ
     【特許請求の範囲】の【請求項１】において、
　　“上記各受光部より上記垂直転送レジスタ部への信号電荷読み出し時に於いて、上記電荷転送ゲート部のポテンシャルを深くすると同時に、上記垂直転送レジスタ部の加算を行うべき２つの領域間の領域のポテンシャルを、加算を行わない２つの領域間の領域のポテンシャルよりも深く設定する”（特許公報第１頁１欄第９行目〜１４行目）を「上記各受光部より上記垂直転送レジスタ部への信号電荷
の読み出し開始時の全時点
　
　イ．訂正事項ｂ
　　【発明の詳細な説明】において、
　　「課題を解決するための手段」、「発明の効果」の各項に記載の“上記各受光部より上記垂直転送レジスタ部への信号電荷読み出し時に於いて／おいて”（特許公報第２頁４欄第６行目〜７行目／第４頁７欄第２行目〜４行目）を「上記各受光部より上記垂直転送レジスタ部への信号電荷
の読み出し開始時の全時点
　　「実施例」の項に記載の“こり固体撮像装置も、従来と同じく受光部Ｓ、垂直転送レジスタ部１、電荷移送ゲート部２及び水平転送レジスタ部（図示はしない）によって構成される。”（特許公報第２頁４欄第３５行目〜３７行目）を「こ
の
　
　（２）訂正の目的の適否、新規事項の有無及び拡張・変更の存否
　　上記訂正事項ａは、発明を特定する事項である“信号電荷の読み出し開始時”をこれに含まれる「信号電荷の読み出し開始時の全時点（に於いて）」に変更し、しかも「（信号電荷）の読み出し開始時の全時点（に於いて）」は、願書に最初に添付した明細書（以下、〈特許明細書〉という。）の詳細な説明の、第６頁第１８行目〜第７頁第１８行目、第１０頁第８行目〜第１３頁第１７行目、及び関連する図２〜図５に記載されているから、特許請求の範囲の減縮を目的とした明細書の訂正に該当し、また、上記訂正事項ｂは、前者は請求項１に係る発明の訂正に伴って整合を図るもので、後者は明らかな誤記であるから、いずれも新規事項の追加に該当するものでなく、実質上特許請求の範囲を拡張又は変更するものでもない。
　
　（３）むすび
　　以上のとおりであるから、上記訂正は特許法第１２０条の４第２項及び同条第３項において準用する第１２６条第２項及び第３項の規定に適合するので、当該訂正を認める。
　
　
　
　　３．特許異議の申立について
　（１）本件請求項１に係る発明
　　　上記２．で示したように上記訂正が認められるから、本件請求項１に係る発明（以下、「訂正後の本件発明」という。）は上記訂正に係る訂正明細書の特許請求の範囲の請求項１に記載された事項に特定される次のとおりのものである。
　「１　各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、
　上記各受光部より上記垂直転送レジスタ部への信号電荷
の読み出し開始時の全時点
　
　　（２）申立ての理由の概要
　　特許異議申立人　奥田　孝導　は、本件請求項１に係る発明（訂正前のその特許請求の範囲の請求項１に記載された発明であり、以下〈訂正前の本件発明〉という。）は、証拠として甲第１号証（特開昭６２−２７７８６３号公報）を提示し、記載された発明と実質同一であるから、特許法第２９条第１項第３号に該当し特許を受けることがでいない。
　　若しくは、同号証に記載された発明から当業者が容易に発明をすることができたものであるから、同法第２９条第２項により特許を受けることができないものであり、〈訂正前の本件発明〉は特許法第１１３条第１項第２号に該当するので取り消すべきものである旨主張している。
　
　　（３）特許異議申立についての判断
　　［〈訂正前の本件発明〉と甲第１号証との対比］
 特許異議申立人　奥田　孝導　が提出した甲第１号証には、
　　ア．“４相クロックパルス信号によりフィールド読み出しを行う様になされた固体撮像装置として第４図及び第５図に夫々その要部の概略的平面図及び断面図を示す様なものが提案されている。
この固体撮像装置はｎ型シリコン基板（１）上に形成されたｐ型ウエル領域（２）上に光電変換部（３）、垂直レジスタ部（４）、水平レジスタ部（図示せず）及び出力回路部（図示せず）等が形成されて成るものであり、この場合、光電変換部（３）は水平、垂直方向に複数個設けられると共に垂直レジスタ部（４）はこの光電変換部（３）の各垂直ライン毎に平行に設けられ、並列に水平レジスタ部に導かれる様になされ、インターライン転送方式による固体撮像装置となす様にされている。”（第１頁右欄５行目〜１８行目）、
　　“光電変換部（３）と垂直レジスタ部（４）との間のｐ型ウエル領域（２）上にＳｉ０2膜（７）を介してゲート電極（１１Ａ），（１１Ｃ）を形成することによってゲート部（１２Ａ），（１２Ｃ）を構成し、電荷蓄積領域（６）に蓄積された信号電荷を電荷転送領域（９）に読み出し得る様になされているが、”（第２頁右上欄２行目〜７行目）、
　　“そして偶数フィールドの場合には、転送電極（１０Ａ）下の電荷転送領域（９）に読み出された信号電荷とこの転送電極（１０Ａ）に対し転送方向側に配された転送電極（１０Ｃ）下の電荷転送領域（９）に読み出された信号電荷とが加算されて水平レジスタ部へ転送され、また奇数フィールドの場合には、転送電極（１０Ａ）下の電荷転送領域（９）に読み出された信号電荷とこの転送電極（１０Ａ）に対し転送方向と逆方向に配された転送電極（１０Ｃ）下の電荷転送領域（９）に読み出された信号電荷とが加算されて水平レジスタ部に転送され、この様にして本例の固体撮像装置においてはフィールド読み出しを行うことができるようにされている。”（第２頁右下欄１６行目〜第３頁左上欄８行目）等の各記載があり、これらは〈訂正前の本件発明〉の
「各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置」
に相当する構成が記載されていると認められる。
　　イ．参考図Ｉ、ＩＩ、ＩＩＩ　は、同号証の第６図Ａ、Ｂの４相クロックパルス信号のタイミング図及びこの第６図Ａ、Ｂを基にして作図した電荷読み出し時のポテンシャルと転送電荷との関係を記載する図であるが、参考図ＩＩ、ＩＩＩの記載において、垂直レジスタ部（４）の加算される２つの領域は、偶数フィールドでは転送電極（１０Ｃ、１０Ａ）下の領域であり、奇数電極では転送電極（１０Ａ、１０Ｃ）下の領域である。
　　そして、甲第１号証に係る偶数フィールドでのポテンシャル図（参考図Ｉ、ＩＩ図）では、ｔ２ 、ｔ４の時点 が受光部で信号電荷を読み出すタイミングである。
ここで、〈訂正前の本件発明〉の記載から把握するに、「読み出し時」とは、上記ｔ２、ｔ４いずれかの時点でよく、偶数フィールドでは参考図ＩＩを参酌するに（奇数フィールドでは（参考図ＩＩＩ）以下同様）、光電変換部（３）より垂直レジスタ（４）の転送電極（１０Ｃ（１０Ａ））下の領域への信号電荷の読み出し時の第１時点である時点ｔ２に於いて、電荷移送ゲート部のポテンシャル（ΦＣ１（ΦＡ２））を深くすると同時に、垂直転送レジスタ部の加算を行うべき２つの領域間の領域ポテンシャル（ΦＤ１（ΦＢ２））を、加算を行わない２つの領域間のポテンシャル（ΦＢ１、ΦＢ１（ΦＤ２、ΦＤ２））よりも深く設定する事が記載されている。
　　したがって、この読み出し時のポテンシャルと転送電荷との関係を記載する図から把握できるように甲第１号証には〈訂正前の本件発明〉の
「上記各受光部より上記垂直転送レジスタ部への信号電荷の読み出し時に於いて、上記電荷転送ゲート部のポテンシャルを深くすると同時に、上記垂直転送レジスタ部の加算を行うべき２つの領域間の領域のポテンシャルを、加算を行わない２つの領域間の領域のポテンシャルよりも深く設定する構成としたことを特徴とするインターライン型固体撮像装置。」
に相当する構成が記載されていると認められる。
　　
　　ところで、〈訂正後の本件発明〉では、「各受光部より垂直転送レジスタ部への信号電荷の読み出し時に於いて、電荷転送ゲート部のポテンシャルを深くすると同時に、垂直転送レジスタ部の加算を行うべき２つの領域間の領域のポテンシャルを、加算を行わない２つの領域間の領域のポテンシャルよりも深く設定する構成」を「各受光部より垂直転送レジスタ部への信号電荷
の読み出し開始時の全時点
　　この点を甲第１号証のもので検討するに、「
読み出し開始時の全時点」
　　しかしながら、〈本件発明〉では受光部からの信号電荷読み出し開始時点ｔ３、ｔ４において、常に、垂直転送レジスタ部の加算を行うべき２つの領域間の領域のポテンシャルは、加算を行わない２つの領域のポテンシャルよりも深く設定されているために、読み出し電荷量の制限を大幅に緩和することができるので、読み出し開始の時点で、受光部の蓄積電荷量が多い場合でも電荷溢れが生じることがない顕著な効果を達成し得るものである。
　
　　したがって、訂正明細書の請求項１係る発明は、甲第１号証に記載された発明ではなく、また上記甲第１号証のものから当業者が容易に発明をすることができたものとはいえない。
　
　
　　（４）むすび
　　以上のとおりであるから、特許異議申立の理由及び証拠によっては、訂正後の本件請求項１に係る発明の特許を取り消すことはできない。
　　また、他に訂正後の本件請求項１に係る発明の特許を取り消すべき理由を発見しない。
　
　　よって、結論のとおり決定する。
【異議決定日】
平成１２年１０月１７日（２０００．１０．１７）
【訂正の要旨】
（３）訂正の要旨
　ａ．特許請求の範囲の請求項１を、特許請求の範囲の減縮を目的として、
「各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、上記各受光部より上記垂直転送レジスタ部への信号電荷
の読み出し開始時の全時点
　これに伴い、特許請求の範囲の記載と、発明の詳細な説明の記載との整合を図るため、明瞭でない記載の釈明を目的として、明細書の発明の詳細な説明の欄の「課題を解決するための手段」の項の
「上述の問題点を解決するため、この発明においては、各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、上記各受光部より上記垂直転送レジスタ部への信号電荷読み出し時に於いて、上記電荷移送ゲート部のポテンシャルを深くすると同時に、上記垂直転送レジスタ部の加算を行うべき２つの領域間の領域のポテンシャルを、加算を行わない２つの領域間の領域のポテンシャルよりも深く設定する構成としたことを特徴とするものである。」との記載（特許公報、第２頁、左欄、第４９行乃至、同頁、右欄、第１２行）を、
「上述の問題点を解決するため、この発明においては、各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、上記各受光部より上記垂直転送レジスタ部への信号電荷の読み出し開始時の全時点に於いて、上記電荷移送ゲート部のポテンシャルを深くすると同時に、上記垂直転送レジスタ部の加算を行うべき２つの領域間の領域のポテンシャルを、加算を行わない２つの領域間の領域のポテンシャルよりも深く設定する構成としたことを特徴とするものである。」と訂正します。
　また、同様に、特許請求の範囲の記載と、発明の詳細な説明の記載との整合を図るため、明瞭でない記載の釈明を目的として、明細書の発明の詳細な説明の欄の「発明の効果」の項の
「以上のように、この発明に係るインターライン型固体撮像装置では、各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、上記各受光部より上記垂直転送レジスタ部への信号電荷読み出し時において、上記電荷移送ゲート部のポテンジャルを深くすると同時に、上記垂直転送レジスタ部の加算を行うべき２つの領域間の領域のポテンシャルを、加算を行わない２つの領域間の領域のポテンシャルよりも深く設定する構成としたことを特徴とするものである。」との記載（特許公報、第３頁、右欄、第４５行乃至、第４頁、左欄、第８行）を、
「以上のように、この発明に係るインターライン型固体撮像装置では、各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、上記各受光部より上記垂直転送レジスタ部への信号電荷の読み出し開始時の全時点に於いて、上記電荷移送ゲート部のポテンシャルを深くすると同時に、上記垂直転送レジスタ部の加算を行うべき２つの領域間の領域のポテンシャルを、加算を行わない２つの領域間の領域のポテンシャルよりも深く設定する構成としたことを特徴とするものである。」と訂正します。
　ｂ．また、誤記の訂正を目的として、明細書の発明の詳細な説明の欄の「実施例」の項の「こり固体撮像装置も、従来と同じく受光部Ｓ、垂直転送レジスタ部１、電荷移送ゲート部２及び水平転送レジスタ部（図示はしない）によって構成される。」との記載（特許公報、第２頁、右欄、第３５行乃至第３７行）を、
「この固体撮像装置も、従来と同じく受光部Ｓ、垂直転送レジスタ部１、電荷移送ゲート部２及び水平転送レジスタ部（図示はしない）によって構成される。」と訂正します。
（５４）【発明の名称】
インターライン型固体撮像装置
（５７）【特許請求の範囲】
　１　各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、
　上記各受光部より上記垂直転送レジスタ部への信号電荷
の読み出し開始時の全時点
【発明の詳細な説明】
　「産業上の利用分野」
　この発明は、ＣＣＤなどの電荷転送素子を用いたインターライン転送型固体撮像装置に関する。
　「従来の技術」
　ＣＣＤなどの電荷転送素子を用いた固体撮像装置に於いて、受光部に蓄積された電荷を転送する手法のなかに、インターライン転送型がある。
　このインターライン転送型固体撮像装置は、周知のように、
（１）絵素に対応する複数の光電変換素子を有する受光部と、
（２）受光部から信号電荷を転送する垂直の絵素列の一方の片側に設けられた垂直転送レジスタ部と、
（３）垂直転送レジスタ部の一方の終端部に設けられた水平転送レジスタ部とで構成されている。
　そして、受光部の光電変換素子により受光量に応じて生じた全電荷を対応する垂直レジスタ部に読み出し、その信号電荷を垂直転送レジスタ部に印加された転送パルスによって水平ブランキング期間に１絵素（１ビット）ずつ水平転送レジスタ部に転送する。そして、水平転送レジスタ部を使用して１水平ラインごとに高速で出力部に転送して、１水平ラインの映像信号（撮像信号）を得るようにしている。
　また、この電荷読み出しにおいて、インターレースを行う場合は、垂直１つおきの水平ラインの絵素の電荷を１フィールドで垂直転送レジスタ部に読み出し、同様にして電荷転送を行って所定の撮像信号を得る。そして、次の１フィールドでその間の残りの水平ラインの絵素の電荷を読み出し、同様に転送して残りのフィールドにおける撮像信号を得るようにしている。
　このようなインターレース走査によると、絵素での受光蓄積時間は２フィールドの期間となり、信号電荷は１フィールドずつ重なり合ったものとなるから、残像が発生する。
　「発明が解決しようとする課題」
　インターレースによる残像を解決する一つの方法として、１フィールドの受光蓄積時間後に受光部の全電荷を垂直転送レジスタ部に読み出し、しかる後に、その垂直転送レジスタ部において、奇数フィールドでは一方の、偶数フィールドでは他方の隣接する絵素に対応する電荷同志を加算し信号電荷とする方法（特公昭６２−４０９１０号公報など）がある。
　この方法によると、受光部の全信号電荷を読み出す際の垂直転送レジスタ部の状態は、各絵素に対応して設けられた垂直転送レジスタ部の各ゲート領域のみしか制御できないため、読み出し電荷量に制限を受ける。
　特に、垂直転送レジスタ部での電荷転送方式として４相駆動方式を採用している場合には、各絵素に対する垂直転送レジスタ部の電荷受け入れ許容量（直下に形成されるポテンシャルウエルの深さなどによって決まる）は、絵素の誘起電荷量より少なくならざるを得ない。
　これは、絵素の誘起電荷量を、対応する垂直転送レジスタ部でのポテンシャルによって形成されたポテンシャルウエルのみによって蓄積するのでは、垂直転送レジスタ部への移送電荷量がオーバーフローとなってしまう場合が発生するからである。
　そこで、この発明はこのような課題を解決したものであって、電荷読み出し時の電荷量の制限を緩和し、残像のない画像が得られるようにした固体撮像装置を提案するものである。
　「課題を解決するための手段」
　上述の問題点を解決するため、この発明においては、各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置に於いて、上記各受光部より上記垂直転送レジスタ部への信号電荷
の読み出し開始時の全時点
　第２図、第４図、第６図及び第８図のタイミングにおいては、時点ｔ３の直前の時点ｔ２で、垂直転送レジスタ部１に形成された転送電極φ１〜φ３若しくはφ３，φ４，φ１直下に形成されるポテンシャルウエルの深さが同一となるようにクロックパルスが制御される。
　そうすると、奇数フィールドでは一方の、偶数フィールドでは他方の隣接する絵素同志の電荷が加算される。第２図及び第４図の例では、時点ｔ４で、第６図及び第８図の例では、時点ｔ３で電荷の加算が行われる。
　このとき、少なくとも隣接する２つの絵素に対応した垂直転送レジスタ部１のポテンシャルウエル（転送電極φ１〜φ３若しくはφ３，φ４，φ１直下に形成されるポテンシャルウエル）は同一の深さになっており、次の電荷読み出しタイミングではそのうちの何れかのポテンシャルウエルがさらに深くなるから、電荷蓄積のためのポテンシャルウエルが大幅に拡張される。
　これによって、読み出し電荷量の制限が緩和される。
　「実施例」
　続いて、この発明に係るインターライン型固体撮像装置の一例を、ＣＣＤを例にとって詳細に説明する。
　第１図は、この発明が適用されるインターライン転送型ＣＣＤ固体撮像装置の要部平面図を示す。
　こ
の
　ここで、垂直転送レジスタ部１での電荷転送は４相駆動方式による転送方式を例示する。
　Ｓ（Ｓ１１〜Ｓ１４，Ｓ２１〜Ｓ２４，Ｓ３１〜Ｓ３４，・・・）は、絵素となる光電変換素子を有する受光部で、その垂直列の一方の片側に垂直転送レジスタ部１が設けられる。
　垂直転送レジスタ部１と各絵素Ｓとの間には、電荷移送ゲート部２が各絵素Ｓに対応する垂直転送レジスタ部１のゲートの一方を延在させて形成される。したがって、矢印が電荷の読み出し方向となる。φ１〜φ４は垂直転送レジスタ部１に設けられた転送電極である。
　続いて、このように構成された固体撮像装置に対して印加するクロックパルスの一例を次に説明する。
　第２図及び第４図はその一例であって、第２図は、垂直転送レジスタ部１に印加する偶数フィールドでのクロックパルス（転送パルス）（第２図では、便宜的に転送電極と同一符号で示す。以下同様）を示し、第４図は偶数フィールドでのクロックパルスを示す。
　そして、第３図は第２図のクロックパルスを印加した時の第１図Ａ−Ａ′線上における垂直転送レジスタ部１内のポテンシャルウエルと電荷移動状態を示し、第５図は第４図のクロックパルスを印加したときにおける同様なポテンシャルウエルと電荷移動状態を示す。
　ここでＳ１１〜Ｓ１４，Ｓ２１〜Ｓ２４，Ｓ３１〜Ｓ３４の各受光部Ｓに対応する各垂直転送レジスタ部１及び各電荷移送ゲート部２は同様の動作を行うため、Ｓ１１〜Ｓ１４の受光部Ｓとそれに対応する垂直転送レジスタ部１および電荷移送ゲート部２の動作を例にとって詳細に説明を行う。
　さて、受光蓄積期間中で、前フィールドの信号電荷が全て水平転送レジスタ部に転送され、既に垂直転送レジスタ部１には電荷が全くない状態（垂直ブランキング期間）のとき、垂直転送レジスタ部１に印加されるクロックパルスが以下のように制御される。
　例えば奇数フィールドでは、第２図の時点ｔ２（電荷を読み出す直前のタイミング）で、電荷φ１，φ２，φ３が“ＶＭ”、φ４が“ＶＬ”状態にし、垂直転送レジスタのφ１，φ２，φ３のポテンシャルウエル及び電極φ１，φ３の電荷移送ゲート部２のポテンシャルウエルが、“ＶＭ”に対応する受光部Ｓのポテンシャルウエルよりも浅い“ＰＭ”の深さに制御される。
　そして、そのままで電極φ１のクロックパルスが“ＶＨ”（第２図の時点ｔ３）の状態に制御され、垂直転送レジスタ部１の電極φ１と電荷移送ゲート部２のポテンシャルウエルが、“ＶＨ”に対応する受光部Ｓのポテンシャルウエルよりも深い“ＰＨ”の深さとなるように制御される。
　そうすると、絵素Ｓ１２及びＳ１４に受光蓄積されていた電荷ｅ１２及びｅ１４がそれぞれ対応する電荷移送ゲート部２を介し、垂直転送レジスタ部１の電極φ１の直下のポテンシャルウエルに読み出される（第３図の時点ｔ３）。
　次に、電極φ１への印加クロックパルスを“ＶＨ”に制御した直後に電極φ３に印加されるクロックパルスを“ＶＨ”にする。（第２図の時点ｔ４）。
　そうすると、絵素Ｓ１１及びＳ１３に受光蓄積されていた電荷ｅ１１及びｅ１３がそれぞれ対応する電荷移送ゲート部２を介し、垂直転送レジスタ部１の電極φ３直下のポテンシャルウエルに蓄積される。と同時に、それぞれ絵素Ｓ１２とＳ１３の電荷ｅ１２とｅ１３が加算され（第３図の時点ｔ４）、ｅ１２＋ｅ１３の電荷となる（第３図時点ｔ５）。
　次のタイミングでは、加算された信号電荷が電極φ１〜φ４に印加されるクロックパルスによって水平転送レジスタ部側に１水平ラインずつ転送される。
　偶数フィールドの関係を第４図及び第５図を参照して説明する。
　この偶数フィールドでは、同様に電極φ１，φ３，φ４に印加されるクロックパルスが“ＶＭ”で、電極φ２のクロックパルスが“ＶＬ”（第４図の時点ｔ２；時点ｔ２は電荷読み出し直前の時点）の状態にしたまま、電極φ１とφ３のクロックパルスが所定のタイミングをおいて“ＶＨ”に制御される（第４図時点ｔ３，ｔ４）。
　そうすると、第５図の時点ｔ３，ｔ４で示すように、夫々対応する絵素の電荷が読み出されると共に、時点ｔ４では絵素Ｓ１１とＳ１２の電荷ｅ１１とｅ１２が加算され、また絵素Ｓ１３とＳ１４の電荷ｅ１３とｅ１４が加算され、それぞれｅ１１＋ｅ１２，ｅ１３＋ｅ１４の電荷となる（第５図時点ｔ５）。この加算後の電荷が信号電荷となる。その後は奇数フィールドと同様な動作となり、１フィールド完結型のインターレース走査が実現される。
　そして、このように、垂直転送レジスタ部１に印加するクロックパルスを制御し、加算すべき隣接する絵素に対応する垂直転送レジスタ部１の電極相互間のポテンシャルウエルを予め深くすることで、少なくとも隣接する２つの絵素に対応した垂直転送レジスタ部１のポテンシャルウエル（転送電極φ１〜φ３若しくはφ３，φ４，φ１直下に形成されるポテンシャルウエル）は全て同一の深さになっており、次の電荷読み出しタイミングではそのうちの何れかのポテンシャルウエルがさらに深くなるから、電荷蓄積のためのポテンシャルウエルが大幅に拡張される。
　これによって、読み出し電荷量の制限が大幅に緩和される。
　上述したインターレース走査では、時点ｔ３で隣接する一方の絵素から電荷を読み出し、次の時点ｔ４で隣接する他方の絵素から電荷を読み出すようにクロックパルスを制御して、垂直転送直前に両電荷を加算するようにしている。
　第６図〜第９図は、同時点で信号電荷の加算処理を行うようにクロックパルスを制御した場合である。
　第６図及び第７図は奇数フィールドでのクロックパルスと電荷移動状態を示す。時点ｔ３で隣接する絵素の双方から電荷を読み出せば、夫々の絵素の電荷を同時に加算できる。
　同じく、偶数フィールドでは第８図のようにクロックパルスを制御すると、第９図のように時点ｔ３で隣接する絵素の双方から電荷を読み出すことができるため、電荷の加算を同タイミングで処理できて、しかもインターレース走査となる。
　「発明の効果」
　以上のように、この発明に係るインターライン型固体撮像装置では、各受光部の信号電荷を、それぞれ対応する電荷移送ゲート部を介して、対応する垂直転送レジスタ部の各領域に読み出し、奇数フィールドと偶数フィールドとで加算の組み合わせを変えて、上記垂直転送レジスタ部の隣接領域間の信号電荷の加算を行い、その後、水平転送レジスタ部方向への電荷転送を行うようにしたインターライン型固体撮像装置において、上記各受光部より上記垂直転送レジスタ部への信号電荷
の読み出し開始時の全時点
　これにより、電荷蓄積のためのポテンシャルウエルが大幅に拡張される。
　その結果、従来よりも読み出し電荷量の制限が大幅に緩和される特徴を有する。
　したがって、低残像で高輝度特性の固体撮像装置を提供できる。
【図面の簡単な説明】
　第１図はこの発明に係る固体撮像装置の一例を示す平面図、第２図及び第６図は奇数フィールドに於けるクロックパルスの波形図、第３図及び第７図はそのときの電荷の移動状態を示す図、第４図及び第８図は偶数フィールドにおけるクロックパルスの波形図、第５図及び第９図はそのときの電荷の移動状態を示す図である。
　Ｓ……受光部
　１……垂直転送レジスタ部
　２……電荷移送ゲート部
　φ１〜φ４……転送電極